(57)【要約】      （修正有）【課題】不都合が少なくなるよう改善された新規な止水装置を提供する。【解決手段】開口部を屋外側から覆う止水板１と、止水板１と床面１０２との間をシールする第一シール部材６と、止水板１と一対の縦壁部３１との間をシールする第二シール部材５と、縦壁部３１に対して止水板１を屋内側かつ床面側に案内する一対のガイド機構７と、縦壁部３１に対して止水板１を屋内側かつ床面側に押し付けた状態で保持する一対の保持機構８と、を備え、ガイド機構７は、止水板１および縦壁部３１のうち一方に設けられ、屋外側から屋内側に向かうにつれて床面１０２に近づくように傾斜した傾斜面１１ａ１と、止水板１および縦壁部３１のうち他方に設けられ、傾斜面１１ａ１に沿って相対的にスライド可能なスライド部１２ａと、を有する。【選択図】図４
2020002576.tif 000002
【特許請求の範囲】
【請求項１】
構造物の屋内側と屋外側とを連通する開口部を、前記屋外側から覆う止水板と、
前記止水板と前記開口部に隣接した床面との間をシールする第一シール部材と、
前記止水板と前記構造物のうち前記開口部の幅方向両側に位置された一対の縦壁部の前記屋外側を向いた前面との間をシールする第二シール部材と、
前記止水板の前記床面側において前記幅方向に互いに間隔をあけて設けられ、前記縦壁部に対して前記止水板を前記屋内側かつ前記床面側に案内する一対のガイド機構と、
前記止水板の前記床面とは反対側において前記幅方向に互いに間隔をあけて設けられ、前記縦壁部に対して前記止水板を前記屋内側かつ前記床面側に押し付けた状態で保持する一対の保持機構と、
を備え、
前記ガイド機構は、
前記止水板および前記縦壁部のうち一方に設けられ、前記屋外側から前記屋内側に向かうにつれて前記床面に近づくように傾斜した傾斜面と、
前記止水板および前記縦壁部のうち他方に設けられ、前記傾斜面に沿って相対的にスライド可能なスライド部と、
をそれぞれ有した、止水装置。
【請求項２】
前記スライド部は、前記傾斜面に対して前記屋外側に係合する係合面を有した、請求項１に記載の止水装置。
【請求項３】
前記傾斜面の前記床面に対する傾斜角度は、４５°よりも大きく９０°よりも小さい、請求項１または２に記載の止水装置。
【請求項４】
前記ガイド機構は、前記傾斜面が設けられ、前記止水板および前記縦壁部のうち一方に着脱可能に固定されたガイド部材を有した、請求項１〜３のうちいずれか一つに記載の止水装置。
【請求項５】
前記ガイド部材は、前記縦壁部の前記開口部と面する対向面に設けられた、請求項４に記載の止水装置。
【請求項６】
請求項４または５に記載の止水装置に用いられるガイド部材。
【請求項７】
構造物の屋内側と屋外側とを連通する開口部を、前記屋外側から覆う止水板の設置方法であって、
前記止水板の下端部および前記開口部の幅方向両側に位置された一対の縦壁部のうち一方に設けられ前記屋外側から前記屋内側に向かうにつれて床面に近づくように傾斜した傾斜面と、前記止水板の下端部および前記縦壁部のうち他方に設けられたスライド部と、を互いに位置合わせする第一工程と、
前記スライド部を前記傾斜面に沿って相対的にスライドさせることで、前記止水板の下端部を前記縦壁部に対して前記屋内側かつ前記床面側に案内する第二工程と、
前記止水板の上端部を前記屋内側に移動させる第三工程と、
前記止水板の上端部に設けられた一対の保持機構によって、前記縦壁部に対して前記止水板を前記屋内側かつ前記床面側に押し付けた状態で保持する第四工程と、
を含む、止水板の設置方法。
【発明の詳細な説明】
【技術分野】
【０００１】
本発明は、止水装置、ガイド部材、および止水板の設置方法に関する。
【背景技術】
【０００２】
従来、構造物の開口部を屋外側から覆う止水板と、止水板と床面との間および止水板と開口部の幅方向両側に位置された一対の縦壁部との間をシールするシール部材と、止水板の床面とは反対側において幅方向に互いに間隔をあけて設けられ、縦壁部に対して止水板を屋内側かつ床面側に押し付けた状態で保持する一対の保持機構と、を備えた止水装置が、知られている（例えば、特許文献１参照）。
【先行技術文献】
【特許文献】
【０００３】
【特許文献１】特開２０１７−０６６８１３号公報
【発明の概要】
【発明が解決しようとする課題】
【０００４】
この種の止水装置では、例えば、止水板をより容易に設置できたり、より迅速に設置できたり等、より不都合が少なくなるよう改善された新規な構成が得られれば、有益である。
【０００５】
そこで、本発明の課題の一つは、例えば、より不都合が少なくなるよう改善された新規な止水装置を得ることである。
【課題を解決するための手段】
【０００６】
本発明の止水装置は、例えば、構造物の屋内側と屋外側とを連通する開口部を、上記屋外側から覆う止水板と、上記止水板と上記開口部に隣接した床面との間をシールする第一シール部材と、上記止水板と上記構造物のうち上記開口部の幅方向両側に位置された一対の縦壁部の上記屋外側を向いた前面との間をシールする第二シール部材と、上記止水板の上記床面側において上記幅方向に互いに間隔をあけて設けられ、上記縦壁部に対して上記止水板を上記屋内側かつ上記床面側に案内する一対のガイド機構と、上記止水板の上記床面とは反対側において上記幅方向に互いに間隔をあけて設けられ、上記縦壁部に対して上記止水板を上記屋内側かつ上記床面側に押し付けた状態で保持する一対の保持機構と、を備え、上記ガイド機構は、上記止水板および上記縦壁部のうち一方に設けられ、上記屋外側から上記屋内側に向かうにつれて上記床面に近づくように傾斜した傾斜面と、上記止水板および上記縦壁部のうち他方に設けられ、上記傾斜面に沿って相対的にスライド可能なスライド部と、をそれぞれ有する。このような構成によれば、例えば、止水板の設置時にガイド機構の傾斜面に沿ってスライド部を相対的にスライドさせることで、止水板を屋内側かつ床面側に案内することができる。これにより、例えば、止水板が第一シール部材を間に挟んで床面側に押し付けられ、かつ止水板が第二シール部材を間に挟んで縦壁部側に押し付けられる状態が比較的容易に得られやすく、ひいては止水板の設置作業がより容易にあるいはより迅速に行われやすい。
【０００７】
また、上記止水装置では、例えば、上記スライド部は、上記傾斜面に対して上記屋外側に係合する係合面を有する。このような構成によれば、例えば、傾斜面と係合面との係合によって、止水板の縦壁部に対する屋外側への移動を抑制することができる。これにより、例えば、一対の保持機構のうち一方を固定した際の締結力等によって止水板のうち当該一方とは幅方向の反対側が縦壁部から屋外側へ離れてしまうといった不都合が抑制され、ひいては止水板の設置作業がより容易にあるいはより円滑に行われやすい。また、例えば、傾斜面と係合面との係合によって止水板を屋外側から足等で押さえる必要がなくなり、ひいては止水板の設置作業を屋内側からも行えるようになるという利点もある。
【０００８】
また、上記止水装置では、例えば、上記傾斜面の上記床面に対する傾斜角度は、４５°よりも大きく９０°よりも小さい。このような構成によれば、例えば、傾斜面の傾斜角度を比較的大きくとることができ、ひいては第一シール部材および第二シール部材の反力等による止水板の縦壁部に対する屋外側への移動、すなわちスライド部が傾斜面を上る方向への移動が抑制されやすい。
【０００９】
また、上記止水装置では、例えば、上記ガイド機構は、上記傾斜面が設けられ、上記止水板および上記縦壁部のうち一方に着脱可能に固定されたガイド部材を有する。このような構成によれば、例えば、着脱可能なガイド部材によって、既存の止水板に対応しやすいガイド機構が得られたり、取付作業やメンテナンス作業等がより容易に行われやすいガイド機構が得られたりしうる。
【００１０】
また、上記止水装置では、例えば、上記ガイド部材は、上記縦壁部の上記開口部と面する対向面に設けられる。このような構成によれば、例えば、対向面にガイド部材が設けられる構成によって、ガイド機構が比較的容易に実現されうる。
【００１１】
また、本発明のガイド部材は、例えば、請求項４または５に記載の止水装置に用いられる。このような構成によれば、例えば、ガイド部材を利用することにより、止水板の設置作業がより容易にあるいはより迅速に行われやすい止水装置が得られうる。
【００１２】
また、本発明の止水板の設置方法は、例えば、構造物の屋内側と屋外側とを連通する開口部を、屋外側から覆う止水板の設置方法であって、止水板の下端部および開口部の幅方向両側に位置された一対の縦壁部のうち一方に設けられ屋外側から屋内側に向かうにつれて床面に近づくように傾斜した傾斜面と、止水板の下端部および縦壁部のうち他方に設けられたスライド部と、を互いに位置合わせする第一工程と、スライド部を傾斜面に沿って相対的にスライドさせることで、止水板の下端部を縦壁部に対して屋内側かつ床面側に案内する第二工程と、止水板の上端部を屋内側に移動させる第三工程と、止水板の上端部に設けられた一対の保持機構によって、縦壁部に対して止水板を屋内側かつ床面側に押し付けた状態で保持する第四工程と、を含む。このような構成によれば、例えば、第一工程、第二工程、第三工程、および第四工程によって、止水板の設置作業がより容易にあるいはより迅速に行われやすい。
【発明の効果】
【００１３】
本発明によれば、例えば、より不都合が少なくなるよう改善された新規な止水装置を得ることができる。
【図面の簡単な説明】
【００１４】
【図１】図１は、第１実施形態の止水装置の例示的な正面図である。
【図２】図２は、第１実施形態の止水装置の保持機構を屋外側から見た例示的な斜視図である。
【図３】図３は、第１実施形態の止水装置のガイド部材を屋内側から見た例示的な斜視図である。
【図４】図４は、第１実施形態の止水装置の止水板が設置された状態の例示的な側面図である。
【図５】図５は、第１実施形態の止水装置の止水板が設置される前の状態の例示的な側面図である。
【図６】図６は、第２実施形態の止水装置のガイド部材の例示的な正面図である。
【図７】図７は、第３実施形態の止水装置の止水板の一部の例示的な斜視図である。
【発明を実施するための形態】
【００１５】
以下、本発明の例示的な実施形態が開示される。以下に示される実施形態の構成、ならびに当該構成によってもたらされる作用および効果は、一例である。なお、本明細書では、序数は、部品や、部材、部位、位置、方向等を区別するためだけに用いられており、順番や優先度を示すものではない。
【００１６】
また、以下に開示される複数の実施形態には、同様の構成要素が含まれる。よって、以下では、それら同様の構成要素には共通の符号が付与されるとともに、重複する説明が省略される。
【００１７】
［第１実施形態］
図１は、止水装置１の正面図である。止水装置１は、開口部１０１から構造物１００の内部に水が浸入することを防止するものであり、止水板４や、床側止水ゴム６（図４参照）、壁側止水ゴム５、ガイド機構７、保持機構８等を備えている。図１に示されるように、開口部１０１は、構造物１００の側壁１０３等に設けられ、構造物１００の屋外側の空間と屋内側の空間とを連通している。構造物１００は、例えば、ビルや、住宅、車庫、倉庫、店舗、工場等の建築構造物である。
【００１８】
なお、以下の各図では、便宜上、互いに直交する三方向が定義されている。Ｘ方向は、止水板４の厚さ方向（前後方向）に沿うとともに、開口部１０１の開口方向（貫通方向）に沿う。Ｙ方向は、止水板４の幅方向（左右方向、長手方向）に沿うとともに、開口部１０１の幅方向に沿う。Ｚ方向は、止水板４の高さ方向（上下方向、短手方向）に沿うとともに、開口部１０１の高さ方向に沿う。なお、以下の説明では、Ｘ方向、Ｙ方向、およびＺ方向のそれぞれの正側（矢印の先端側）を一方と称し、負側を他方と称する。
【００１９】
また、以下の説明では、開口部１０１を介してＸ方向の一方の空間から他方の空間へ水が浸入する可能性がある場合のＸ方向の他方（下流側）が屋内側と定義され、Ｘ方向の一方（上流側）が屋外側と定義される。すなわち、屋内側とは、水の浸入を防止（阻止、抑制）したい側であり、屋外側とは、浸入可能性のある水が流れてくる側のことである。なお、屋内側や屋外側とは水が浸入する可能性がある場合の下流側や上流側を意味する便宜上の文言であり、本発明は、例えば道路や廊下等の通路のような家屋や部屋等の概念が必ずしも明確にならない場所にも適用できる。
【００２０】
図１に示されるように、開口部１０１の屋内側には、開閉扉２が設けられている。開閉扉２は、スライドドア（所謂自動ドア）であり、両開き式の一対の扉２１を有している。扉２１は、Ｙ方向に沿って、開口部１０１を閉じる閉位置（図１参照）と、開口部１０１を開放する開位置（図示されず）との間で移動可能である。このような扉２１の移動は、手動でなされても、モータ等の駆動装置によって自動でなされてもよい。なお、扉２１は、止水板４を開口部１０１に設置した状態においても開閉可能である。
【００２１】
開口部１０１の周囲には、枠体３が設けられている。枠体３は、側壁１０３よりも厚く、防錆性を有する金属材で構成されている。枠体３は、例えば、一対の縦枠部材３１と、上枠部材３２と、下枠部材３３と、を有している。縦枠部材３１、上枠部材３２、および下枠部材３３は、それぞれ板状の金属材によって中空状の断面形状に構成されている。縦枠部材３１は、縦壁部の一例であり、方立等とも称される。また、上枠部材３２は、梁等とも称され、下枠部材３３は、幅木等とも称される。
【００２２】
縦枠部材３１は、開口部１０１のＹ方向の両側に設けられ、Ｚ方向に沿って延びている。縦枠部材３１は、開閉扉２よりも屋外側、すなわちＸ方向の一方に位置されている。縦枠部材３１は、屋外側を向いた前面３１ｂと、開口部１０１と面し当該開口部１０１を挟んで互いに対向した対向面３１ａと、を有している。
【００２３】
上枠部材３２は、開口部１０１の上方に設けられ、Ｙ方向に沿って延びている。上枠部材３２は、一対の縦枠部材３１の間に亘り、当該一対の縦枠部材３１と接続されている。本実施形態では、開口部１０１の縁は、床面１０２と、一対の縦枠部材３１と、上枠部材３２と、によって構成されている。なお、床面１０２とは、開口部１０１の下方に位置する面を意味する便宜上の文言であり、床面１０２は、通常の床面に限らず、コンクリート面や地面等を含む。
【００２４】
止水板４は、Ｘ方向に短い偏平な直方体状に構成されている。止水板４は、開口部１０１の少なくとも下方の領域を覆う。止水板４は、その厚さ方向が床面１０２と略平行な姿勢で、床面１０２上に重ねられて起立するとともに、縦枠部材３１に屋外側から重ねられる。このように止水板４が開口部１０１の下方の領域を覆った状態で、止水板４の下端部４ｃと床面１０２との間、および止水板４のＹ方向の両端部と縦枠部材３１の前面３１ｂとの間がシールされることにより、開口部１０１を介した屋内側への雨水等の水の浸入が、防止（阻止、抑制）される。
【００２５】
止水板４は、浸水時、屋外側からの水圧によって屋内側、すなわち、縦枠部材３１に押圧されて押し付けられる。止水板４は、防錆性を有する板状の金属材を加工してパネル状に構成されている。止水板４は、人が跨ぐことで開閉扉２を介して構造物１００の出入りが可能である。止水板４は、開口部１０１の幅、すなわち、対向する縦枠部材３１間の幅よりも大きな幅で、人が跨ぐことができる高さ、具体的には例えば、数１０ｃｍに設定されている。止水板４は、開口部１０１の床面１０２から数１０ｃｍの高さを閉塞し、浸水時に屋内側への水の浸入を防止する。
【００２６】
また、止水板４は、持ち運び自在な重量とすることが望ましく、浸水時の水圧に耐えうる剛性を有している。止水板４は、例えば、アルミニウムを含む防錆性を有する軽量の金属板を断面形状がコの字型に加工して骨材とし、四つの骨材を組み合わせた四角形のフレームを有する。このフレームの正面および背面の開口部が四角形のパネルでそれぞれ閉塞され、止水板４は構成される。また、フレームとパネルとで囲われた内部の空間に充填剤を充填することで、止水板４は、軽量で剛性の高いものとなる。止水板４の全体の比重は、例えば、水の比重よりも小さく設定されうる。これにより、操作者は、止水板４の運搬や、取り付け、取り外し等を、より容易に行える。
【００２７】
床側止水ゴム６（図４，７参照）は、止水板４の床面１０２と面する下面に設けられ、当該下面の少なくとも一部を覆っている。床側止水ゴム６は、Ｘ方向に所定の幅を有し、Ｙ方向に沿って細長く延びた帯板状に構成されている。床側止水ゴム６は、止水板４が開口部１０１に設置された状態で、床面１０２と止水板４との間に介在する。床側止水ゴム６は、床面１０２と止水板４との間に挟まれることで、弾性的に圧縮され、面圧を生じる。この面圧によって、床面１０２と止水板４との間から屋内側に水が浸入するのが抑制される。なお、床側止水ゴム６の少なくとも一部は、床面１０２側に設けられてもよい。床側止水ゴム６は、第一シール部材の一例である。
【００２８】
壁側止水ゴム５は、止水板４の屋内側を向いた後面４ａに設けられ、当該後面４ａのＹ方向の両端部を部分的に覆っている。壁側止水ゴム５は、Ｙ方向に所定の幅を有し、Ｚ方向に沿って延びた帯板状に構成されている。壁側止水ゴム５は、止水板４が開口部１０１に設置された状態で、縦枠部材３１の前面３１ｂと止水板４との間に介在する。壁側止水ゴム５は、縦枠部材３１と止水板４との間に挟まれることで、弾性的に圧縮され、面圧を生じる。この面圧によって、縦枠部材３１と止水板４との間から屋内側に水が浸入するのが抑制される。なお、壁側止水ゴム５の少なくとも一部は、縦枠部材３１側に設けられてもよい。壁側止水ゴム５は、第二シール部材の一例である。壁側止水ゴム５および床側止水ゴム６は、柔軟性（可撓性、弾性）を有する材料、例えば合成樹脂材料（ゴム、エラストマ、柔軟性樹脂等）で構成されている。
【００２９】
図２は、止水装置１の保持機構８の斜視図である。保持機構８は、止水板４の設置時に縦枠部材３１に対して止水板４を屋内側かつ床面１０２側に押し付けた状態で保持する機能を有している。図１，２に示されるように、止水装置１には、一対の保持機構８が止水板４の床面１０２とは反対側の上端部４ｄにおいてＹ方向に互いに間隔をあけて設けられている。
【００３０】
図２に示されるように、保持機構８は、例えば、ベース部１０と、押圧部１６と、固定部１７と、保持部１８と、を有している。ベース部１０は、止水板４に向けて開放された略Ｕ字状に構成されている。ベース部１０は、止水板４の上端部４ｄを挟持した状態で、ネジやボルト等の結合具１０ｃによって止水板４に固定されている。ベース部１０の止水板４の後面４ａと対向する壁部１０ａ（図４，５参照）には、押圧部１６がＹ方向に沿った回転軸７４回りに回転可能に取り付けられている。また、ベース部１０の止水板４の前面４ｂと対向する壁部１０ｂには、保持部１８がＹ方向に沿った回転軸９２ａ回りに回転可能に取り付けられている。
【００３１】
押圧部１６は、例えば、支持部７１や、鍔部７２、接続部７３、回転軸７４等を有している。押圧部１６は、止水板４を床面１０２側に押圧することが可能な強度を有している。押圧部１６は、例えば、金属材料で構成されている。
【００３２】
支持部７１は、止水板４の起立状態（図４参照）において、後面４ａに当接可能に構成されている。支持部７１には、止水板４の起立状態において、止水板４から屋内側へ押圧される押圧力が作用する。また、支持部７１は、止水板４が床面１０２に対して傾斜した傾斜状態（図５参照）において、後面４ａから離間するように構成されている。支持部７１の下端部には、Ｙ方向に貫通した貫通孔（不図示）が設けられている。この貫通孔には、回転軸７４の軸部が回転可能に挿入されている。
【００３３】
鍔部７２は、支持部７１の止水板４とは反対側の端部から、Ｙ方向の両側に突出している。鍔部７２は、Ｙ方向の視線（図４）では、屋内側に凸となる曲線状に構成されている。鍔部７２と支持部７１との間には、ユーザーの指先等が挿入される凹部が設けられている。
【００３４】
接続部７３は、支持部７１の回転軸７４とは反対側の端部から、Ｘ方向の一方に突出している。接続部７３は、止水板４の上方を、間隔をあけて覆っている。接続部７３の先端部には、保持部１８が引っ掛けられるアーム受金具７３ａが設けられている。本実施形態では、アーム受金具７３ａに保持部１８のアーム９２が引っ掛けられることによって、押圧部１６と保持部１８との間で止水板４が起立状態（図４参照）の姿勢で保持される。
【００３５】
図２に示されるように、固定部１７は、例えば、取付部材８１や、緩衝部材８２，８３、支持部材８４、ノブ８５等を有している。固定部１７は、押圧部１６に対してＹ方向に沿った回転軸８５ａ回りに回転可能に支持されている。固定部１７は、縦枠部材３１の対向面３１ａ（図４）に接触するとともに、対向面３１ａをＹ方向に押圧することで、縦枠部材３１に固定される。
【００３６】
取付部材８１は、縦枠部材３１の対向面３１ａと前面３１ｂとに沿った略Ｌ字状に構成されている。取付部材８１は、支持部材８４（図２参照）を介して、ノブ８５の回転軸８５ａ回りに回転可能に支持されている。取付部材８１は、縦枠部材３１を押圧することが可能な強度を有している。取付部材８１は、例えば、金属材料で構成されている。
【００３７】
緩衝部材８２は、取付部材８１の対向面３１ａと対向する部分に設けられている。緩衝部材８２は、取付部材８１と対向面３１ａとの間に介在する。緩衝部材８２は、取付部材８１と縦枠部材３１との直接的な接触を抑制している。緩衝部材８２は、例えば、弾性変形が小さい硬質ゴムなどによって構成されている。
【００３８】
緩衝部材８３は、取付部材８１の前面３１ｂと対向する部分に設けられている。緩衝部材８３は、取付部材８１と前面３１ｂとの間に介在する。緩衝部材８３は、取付部材８１と縦枠部材３１との直接的な接触を抑制している。緩衝部材８３は、例えば、弾性変形が小さい硬質ゴムなどにより構成されている。
【００３９】
支持部材８４は、取付部材８１の緩衝部材８２（対向面３１ａ）とは反対側に設けられている。支持部材８４は、少なくとも一部が取付部材８１から緩衝部材８２とは反対側に離間した状態で、取付部材８１に固定されている。これにより、支持部材８４と取付部材８１との間に、開口部８４ａ（凹部）が設けられている。
【００４０】
ノブ８５は、例えば、回転軸８５ａと、把持部８５ｂと、を有している。回転軸８５ａは、棒状であり、外周面に雄ねじが形成されている。回転軸８５ａは、押圧部１６をＹ方向に貫通した雌ねじ孔に螺合されている。また、回転軸８５ａの先端部は、支持部材８４の開口部８４ａ内に位置された抜け止め部材と接続され、基端部は、把持部８５ｂと接続されている。本実施形態では、ノブ８５の押圧部１６に対するＹ方向への移動によって、回転軸８５ａの先端部が取付部材８１を対向面３１ａ側に押圧することで、固定部１７が縦枠部材３１に着脱可能に固定される。
【００４１】
図２に示されるように、保持部１８は、例えば、レバー９１や、アーム９２等を有した所謂パチン錠である。保持部１８は、縦枠部材３１に対する止水板４の位置関係を保持する。保持部１８は、アーム受金具７３ａとの係合によって、止水板４を屋内側かつ床面１０２側に押し付けた状態で保持する。保持部１８は、止水板４の支持部７１と反対側、すなわち前面４ｂに取り付けられている。
【００４２】
レバー９１は、アーム９２をアーム受金具７３ａに引っ掛けた状態でロックするロック位置（図２参照）と、アーム９２のロックを解除するロック解除位置（不図示）との間で移動可能に設けられている。レバー９１は、固定部と可動部とを備えている。固定部は、ベース部１０に固定されている。可動部は、固定部にＹ方向に沿って延びる回動軸９１ａを介して回転可能に接続されている。
【００４３】
アーム９２は、Ｘ方向の視線では、略円環状に構成されている。アーム９２は、アーム受金具７３ａに係合可能である。アーム９２は、ベース部１０にＹ方向に沿って延びる回転軸９２ａを介して回転可能に接続されている。
【００４４】
図３は、ガイド機構７のガイド部材１１の斜視図である。ガイド機構７は、例えば、ガイド部材１１（図３参照）と、スライド部材１２（図１参照）と、を有している。ガイド機構７は、止水板４の設置時に縦枠部材３１に対して止水板４を屋内側かつ床面１０２側に案内する機能を有している。止水装置１には、一対のガイド機構７が止水板４の床面１０２側の下端部４ｃにおいてＹ方向に互いに間隔をあけて設けられている。本実施形態では、ガイド部材１１が縦枠部材３１に取り付けられ、スライド部材１２が止水板４に取り付けられている。なお、この例には限定されず、ガイド部材１１が止水板４に設けられ、スライド部材１２が縦枠部材３１に設けられてもよい。
【００４５】
図３に示されるように、ガイド部材１１は、例えば、傾斜ベース１１ａと、取付片１１ｂと、接続片１１ｃと、を有している。傾斜ベース１１ａは、略三角柱状に構成されている。傾斜ベース１１ａは、傾斜面１１ａ１と、下面１１ａ２と、前面１１ａ３と、を有している。下面１１ａ２は、床面１０２と面し、当該床面１０２に支持される。前面１１ａ３は、屋外側すなわちＸ方向の一方を向き、下面１１ａ２のＸ方向の一端部と接続されている。傾斜面１１ａ１は、下面１１ａ２のＸ方向の他端部と前面１１ａ３の上端部との間に亘り、屋外側から屋内側に向かうにつれて床面１０２に近づくように傾斜している。傾斜面１１ａ１は、ガイド面等とも称される。
【００４６】
取付片１１ｂは、例えば、縦枠部材３１の対向面３１ａに沿って延びた略四角形状の板状に構成されている。取付片１１ｂには、ネジやボルト等の結合具１３が貫通する複数の貫通孔（不図示）が設けられている。ガイド部材１１は、例えば、取付片１１ｂをＹ方向に貫通する四つの結合具１３によって、対向面３１ａに着脱可能に固定されている。
【００４７】
接続片１１ｃは、例えば、傾斜面１１ａ１に沿って延びた四角形状の板状に構成されている。接続片１１ｃは、Ｙ方向に離間した傾斜ベース１１ａと取付片１１ｂとの間に亘り、当該傾斜ベース１１ａと取付片１１ｂとを接続している。
【００４８】
また、接続片１１ｃおよび傾斜ベース１１ａには、床面１０２側かつ対向面３１ａ側に向けて開放された溝部１１ｒが設けられている。溝部１１ｒには、対向面３１ａと床面１０２との間の角丸部（角Ｒ部）等が収容され、これにより、ガイド部材１１を対向面３１ａおよび床面１０２に対してより精度よく取り付けることができる。ガイド部材１１は、金属材料によって構成されている。ガイド部材１１は、サポート部材や、位置決め部材等とも称されうる。なお、ガイド部材１１は、この例には限定されず、例えば、床面１０２に固定されてもよいし、床面１０２に突没可能に収納されてもよい。
【００４９】
図１に示されるように、スライド部材１２は、例えば、スライド部１２ａと、ベース部１２ｂと、を有している。ベース部１２ｂは、止水板４の後面４ａ（図４参照）に固定され、屋内側すなわちＸ方向の他方に延びている。スライド部１２ａは、ベース部１２ｂの止水板４とは反対側の端部から対向面３１ａに近づくようにＹ方向に突出している。スライド部１２ａは、Ｙ方向の視線（図４参照）では、円形状に構成されている。本実施形態では、スライド部１２ａは、ベース部１２ｂに対して回転不能である。なお、スライド部１２ａは、ローラ等の回転体であってもよい。
【００５０】
また、スライド部１２ａは、係合面１２ａ１を有している。係合面１２ａ１は、例えば、スライド部１２ａの外周面である。係合面１２ａ１は、傾斜面１１ａ１にスライド可能に係合されている。すなわち、係合面１２ａ１は、傾斜面１１ａ１との摺動によって、傾斜面１１ａ１に沿ってスライド可能である。また、係合面１２ａ１は、傾斜面１１ａ１との摩擦による係合や引っ掛かりによって、屋外側への移動が制限されている。スライド部材１２は、例えば、エラストマやゴム等の合成樹脂材料で構成されている。係合面１２ａ１は、引掛面や、当接面等とも称され、スライド部材１２は、摺動部材や、摩擦部材等とも称される。
【００５１】
次に、止水板４の設置方法について説明する。図４は、止水板４が設置された状態の側面図であり、図５は、止水板４が設置される前の状態の側面図である。まず、開口部１０１に止水板４を設置する場合、ユーザーは、保管場所から止水板４を開口部１０１に運搬する（Ｓ１）。また、このとき、ガイド部材１１を縦枠部材３１の対向面３１ａに固定しておく。
【００５２】
次に、ユーザーは、開口部１０１における止水板４の設置位置に、屋外側から止水板４を設置する。具体的には、図５に示されるように、ユーザーは、止水板４を傾斜状態として、ガイド部材１１の傾斜面１１ａ１にスライド部材１２のスライド部１２ａを上方から引っ掛けることで互いに位置合わせする（Ｓ２）。Ｓ２は、第一工程の一例である。
【００５３】
次に、ユーザーは、止水板４を把持して傾斜状態を維持したまま、保持機構８の固定部１７を縦枠部材３１に固定する（Ｓ３）。固定部１７の取付部材８１を縦枠部材３１に対して突っ張らせることで固定部１７が固定されると、止水板４は、ユーザーが支持しなくても傾斜状態を維持する。
【００５４】
次に、ユーザーは、一方または両方の手で止水板４の上端部４ｄを把持し、スライド部１２ａを傾斜面１１ａ１に沿って当該傾斜面１１ａ１を下る方向に相対的にスライドさせる（Ｓ４）。これにより、止水板４の下端部４ｃが縦枠部材３１に対して屋内側かつ床面１０２側に案内され、壁側止水ゴム５の下端部が縦枠部材３１の前面３１ｂに密着し、床側止水ゴム６が床面１０２に密着する。Ｓ４は、第二工程の一例である。
【００５５】
次に、ユーザーは、止水板４の上端部４ｄを屋内側すなわち縦枠部材３１側に移動させ、止水板４を傾斜状態から起立状態とする（Ｓ５）。Ｓ５は、第三工程の一例である。ここで、止水板４が縦枠部材３１側に押し付けられた起立状態で床面１０２側に押し下げられると、壁側止水ゴム５と縦枠部材３１との間の摩擦力により、壁側止水ゴム５が止水板４から捲れ上がる虞があった。その点、本実施形態によれば、ガイド機構７によって止水板４の下端部４ｃを屋内側かつ床面１０２側に案内することでまず壁側止水ゴム５の下端部を密着させてから全体を密着させることができるため、壁側止水ゴム５の捲れ上がりが抑制されやすい。
【００５６】
次に、ユーザーは、止水板４が縦枠部材３１に対して屋内側かつ床面１０２側に押し付けられた状態で、保持機構８のアーム９２をアーム受金具７３ａに引っ掛ける。そして、図４に示されるように、ユーザーは、レバー９１の下端部を下方に押し下げ、アーム９２をアーム受金具７３ａに引っ掛けた状態でロックする（Ｓ６）。このようにして、止水板４は、開口部１０１に設置される。Ｓ６は、第四工程の一例である。
【００５７】
本実施形態によれば、床側止水ゴム６が床面１０２と止水板４との間に挟まれて弾性的に圧縮され、弾性変形（圧縮）に伴う力Ｆｐ１（弾性力）が生じ、壁側止水ゴム５が縦枠部材３１と止水板４との間に挟まれて弾性的に圧縮され、弾性変形（圧縮）に伴う力Ｆｐ２（弾性力）が生じる。これにより、床側止水ゴム６および壁側止水ゴム５の面圧が高まるため、開口部１０１を介した屋内側への水の浸入が、より確実に抑制される。
【００５８】
なお、開口部１０１に設置された止水板４を取り外す場合、ユーザーは、例えば、一方の手で止水板４を把持した状態で、他方の手でノブ８５を緩める。そして、ユーザーは、固定部１７を縦枠部材３１から取り外し、止水板４を持ち上げて傾斜面１１ａ１とスライド部１２ａとの係合を解除する。そして、ユーザーは、止水板４を開口部１０１から保管場所まで運搬して収納する。このようにして、開口部１０１に設置された止水板４を、取り外すことができる。
【００５９】
以上のように、本実施形態では、例えば、止水装置１は、縦枠部材３１（縦壁部）に設けられ屋外側から屋内側に向かうにつれて床面１０２に近づくように傾斜した傾斜面１１ａ１と、止水板４に設けられ傾斜面１１ａ１に沿って相対的にスライド可能なスライド部１２ａと、を有したガイド機構７を備える。このような構成によれば、例えば、止水板４の設置時にガイド機構７の傾斜面１１ａ１に沿ってスライド部１２ａを相対的にスライドさせることで、止水板４を屋内側かつ床面１０２側に案内することができる。これにより、例えば、止水板４が床側止水ゴム６（第一シール部材）を間に挟んで床面１０２側に押し付けられ、かつ止水板４が壁側止水ゴム５（第二シール部材）を間に挟んで縦枠部材３１側に押し付けられる状態が比較的容易に得られやすく、ひいては止水板４の設置作業がより容易にあるいはより迅速に行われやすい。
【００６０】
また、本実施形態では、例えば、スライド部１２ａは、傾斜面１１ａ１に対して屋外側に係合する係合面１２ａ１を有する。このような構成によれば、例えば、傾斜面１１ａ１と係合面１２ａ１との係合によって、止水板４の縦枠部材３１に対する屋外側への移動を抑制することができる。これにより、例えば、一対の保持機構８のうち一方を固定した際の締結力等によって止水板４のうち当該一方とはＹ方向の反対側が縦枠部材３１から屋外側へ離れてしまうといった不都合が抑制され、ひいては止水板４の設置作業がより容易にあるいはより円滑に行われやすい。また、例えば、傾斜面１１ａ１と係合面１２ａ１との係合によって止水板４を屋外側から足等で押さえる必要がなくなり、ひいては止水板４の設置作業を屋内側からも行えるようになるという利点もある。
【００６１】
また、本実施形態では、例えば、傾斜面１１ａ１の床面１０２に対する傾斜角度は、４５°よりも大きく９０°よりも小さい。このような構成によれば、例えば、傾斜面１１ａ１の傾斜角度を比較的大きくとることができ、ひいては床側止水ゴム６および壁側止水ゴム５の反力等による止水板４の縦枠部材３１に対する屋外側への移動、すなわちスライド部１２ａが傾斜面１１ａ１を上る方向への移動が抑制されやすい。
【００６２】
また、本実施形態では、例えば、ガイド機構７は、傾斜面１１ａ１が設けられ、縦枠部材３１に着脱可能に固定されたガイド部材１１を有する。このような構成によれば、例えば、着脱可能なガイド部材１１によって、既存の止水板４に対応しやすいガイド機構７が得られたり、取付作業やメンテナンス作業等がより容易に行われやすいガイド機構７が得られたりしうる。
【００６３】
また、本実施形態では、例えば、ガイド部材１１は、一対の縦枠部材３１の開口部１０１と面する対向面３１ａに設けられる。このような構成によれば、例えば、対向面３１ａにガイド部材１１の傾斜面１１ａ１が設けられる構成によって、ガイド機構７が比較的容易に実現されうる。
【００６４】
［第２実施形態］
図６は、止水装置１Ａのガイド部材１１Ａの正面図である。図６に示される実施形態の止水装置１Ａは、上記第１実施形態の止水装置１と同様の構成を備えている。よって、本実施形態によっても、上記第１実施形態と同様の構成に基づく同様の効果が得られる。
【００６５】
ただし、本実施形態では、例えば、図６に示されるように、ガイド部材１１Ａが縦枠部材３１に設けられたホルダ１４に着脱可能に取り付けられている点が、上記第１実施形態と相違している。ホルダ１４には、ガイド部材１１Ａの取付片１１ｂを保持する一対の保持部１４ａが設けられている。一対の保持部１４ａは、互いにＸ方向に間隔をあけて設けられるとともに、対向面３１ａからＹ方向に離間している。保持部１４ａと対向面３１ａとの間には、取付片１１ｂがＺ方向に沿ってスライド可能に装着される開口部が設けられている。ガイド部材１１Ａは、取付片１１ｂと保持部１４ａとの当接によってＸ方向およびＹ方向に沿った移動が制限され、傾斜ベース１１ａと床面１０２との当接によって下方への移動が制限される。ホルダ１４は、ネジやボルト等の結合具１５によって対向面３１ａに結合されている。よって、本実施形態によれば、例えば、ホルダ１４を利用することにより、ガイド部材１１Ａの取付作業が、より容易に、より円滑に、あるいはより迅速に行われやすい。
【００６６】
［第３実施形態］
図７は、止水装置１Ｂの止水板４Ａの一部の斜視図である。図７に示される実施形態の止水装置１Ｂは、上記第１実施形態の止水装置１と同様の構成を備えている。よって、本実施形態によっても、上記第１実施形態と同様の構成に基づく同様の効果が得られる。
【００６７】
ただし、本実施形態では、例えば、図７に示されるように、床側止水ゴム６および壁側止水ゴム５の表面に吸水テープ６ａ，５ａが貼りつけられている点が、上記第１実施形態と相違している。なお、図７では、便宜上、吸水テープ６ａ，５ａが設けられている部位にハッチングが施されている。この吸水テープ６ａ，５ａには、吸水効率、吸水速度および保水性等において優れた特徴を有する高吸水性高分子がコーティングされている。したがって、吸水テープ６ａ，５ａが水を吸収すると大きく膨潤して水の浸入を制限する。なお、吸水テープ６ａ，５ａとして、例えば、スリーエムカンパニー製の３Ｍ（登録商標）ジョイント止水テープ２２３７などを適用することができる。本実施形態では、例えば、止水板４Ａの角部に対応した縦枠部材３１と床面１０２との間には隙間が生じやすくなる。また、縦枠部材３１の前面３１ｂや床面１０２に多くの凹凸が設けられている場合は、壁側止水ゴム５と前面３１ｂとの間および床側止水ゴム６と床面１０２との間に隙間が生じやすい。しかしながら、本実施形態では、床側止水ゴム６および壁側止水ゴム５に吸水テープ６ａ，５ａが設けられているため、屋外側から浸水すると、吸水テープ６ａ，５ａが水を吸収して大きく膨潤し、上述した隙間を封鎖して水の浸入を抑制することができる。
【００６８】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００６９】
１，１Ａ，１Ｂ…止水装置、４，４Ａ…止水板、４ｃ…下端部、４ｄ…上端部、５…壁側止水ゴム（第二シール部材）、６…床側止水ゴム（第一シール部材）、７…ガイド機構、８…保持機構、１１，１１Ａ…ガイド部材、１１ａ１…傾斜面、１２ａ…スライド部、１２ａ１…係合面、３１…縦枠部材（縦壁部）、３１ａ…対向面、３１ｂ…前面、１００…構造物、１０１…開口部、１０２…床面、Ｙ…幅方向。
【図１】
2020002576.tif 000003
【図２】
2020002576.tif 000004
【図３】
2020002576.tif 000005
【図４】
2020002576.tif 000006
【図５】
2020002576.tif 000007
【図６】
2020002576.tif 000008
【図７】
2020002576.tif 000009